(57)【特許請求の範囲】
【請求項１】
トイレの既設床に設けられる便器の設置構造であって、
前記既設床に上張された上張床材と、
前記上張床材の上に設置された便器と、
前記既設床に固定された床フランジと、
前記便器および前記床フランジに介在して、前記便器から排出された排水を前記床フランジに導く導水管と、
を備えてなり、
前記床フランジは、筒状部と、該筒状部から外周方向に張り出して形成された鍔部と、該鍔部の張り出し方向に延在する突出部とを備えてなり、
前記鍔部は前記既設床の床面に沿うように取り付けられており、
前記上張床材は、表面から裏面に貫通する開口と、該開口に設けられた切り欠き部と、を備え、前記切り欠き部の内側に前記突出部が収められ、前記床フランジを覆わないように、既設床に張り付けられており、
前記導水管は塑性変形または弾性変形が可能であり、前記便器および前記床フランジにより圧縮されている、設置構造。
【請求項２】
前記便器は、便器本体と、便器本体の流出口に接続され、排水を排出するための排水ソケットとを含んでなり、前記導水管は、一方の環状端面が排水ソケットに、他方の環状端面が床フランジに、それぞれ当接して漏水を防止する、請求項１に記載の設置構造。
【請求項３】
前記便器および前記排水ソケットが前記上張床材の上面に戴置または固定されている、請求項２に記載の設置構造。
【請求項４】
前記開口において、開口幅と床フランジ幅との差分（Ａ）が左右方向（ｘ）における差分（Ａｘ）よりも前後方向（ｙ）における差分（Ａｙ）のほうが大である、請求項１に記載の設置構造。
【請求項５】
請求項１の設置構造において用いられる上張床材であって、表面から裏面に貫通する開口と、該開口に設けられた切り欠き部と、を備えてなる、上張床材。
【請求項６】
請求項１の設置構造において用いられるリフォームキットであって、
請求項５の上張床材と、
前記導水管とを含んでなる、リフォームキット。
【発明の詳細な説明】
【技術分野】
【０００１】
本発明は、リフォームに適した便器の設置構造およびそれに用いられる上張床材、ならびにリフォームキットに関する。
【背景技術】
【０００２】
トイレをリフォームする際に、既設の床に新しい床材を上張して、この新しい床の上に便器を固定する方法がある。従来の方法によれば、新しい床に固定する床フランジと排水管とを接続するために、既設の床と新しい床との間の高さ寸法分、既設の排水管を立ち上げ直す工事が必要であった。
【０００３】
配管工事を簡便化するために、例えば、特許文献１（特開２００４−２４４８２８号公報）には、既設フランジの上に排水管を上方に立ち上げる延長部材を固設して、この延長部材に新たな床フランジを接続する構造が提案されている。
【０００４】
また、特許文献２（特開２０１３−５１３０４８号公報）には、フランジを多重構造とし、下張床に固定する第一の部材と、第一の部材に固定して上張床材を挟みこむ第二の部材とを備えた構造が提案されている。
【先行技術文献】
【特許文献】
【０００５】
【特許文献１】特開２００４−２４４８２８号公報
【特許文献２】特開２０１３−５１３０４８号公報
【発明の概要】
【発明が解決しようとする課題】
【０００６】
特許文献１に開示された構造は、新設の床面に床フランジが固定された構造であり、仕上がりは従前と同じ外観となるため、便器を従来と同じ施工方法で取付けることができる。しかしながら、新たな床フランジと、新たな床フランジを固定するための専用の部材が必要となり、床のかさ上げに対応するためには、部品点数が多くなっている。
【０００７】
特許文献２に開示された構造は、既設のフランジを利用するものではなく、また、部材点数が多く、施工も複雑である。
【０００８】
そこで、本発明は、既設の床に床材を上張する際に便器の排管工事を簡略化することを目的とする。
【課題を解決するための手段】
【０００９】
上記課題を達成するために、本発明の便器設置構造は、
トイレの既設床に設けられる便器の設置構造であって、
前記既設床に上張された上張床材と、
前記上張床材の上に設置された便器と、
前記既設床に固定された床フランジと、
前記便器および前記床フランジに介在して、前記便器から排出された排水を前記床フランジに導く導水管と、
を備えてなり、
前記床フランジは、筒状部と、該筒状部から外周方向に張り出して形成された鍔部と、該鍔部の張り出し方向に延在する突出部とを備えてなり、
前記鍔部は前記既設床の床面に沿うように取り付けられており、
前記上張床材は、表面から裏面に貫通する開口と、該開口に設けられた切り欠き部と、を備え、前記切り欠き部の内側に前記突出部が収められ、前記床フランジを覆わないように、既設床に張り付けられており、
前記導水管は塑性変形または弾性変形が可能であり、前記便器および前記床フランジにより圧縮されていることを特徴とする。
【００１０】
本発明によれば、塑性変形または弾性変形が可能な導水管を使用することによって、施工が簡単で、かつ確実に漏水防止が可能な便器設置構造を提供可能となる。また、既設の床フランジや既設の床に凹凸や傾斜があり、上張床材に不陸が発生しても、導水管が圧縮可能なので、調整作業を行なう必要がないか簡素化できる。
【００１１】
本発明の好ましい態様によれば、前記便器は、便器本体と、便器本体の流出口に接続され、排水を排出するための排水ソケットとを含んでなり、前記導水管は、一方の環状端面が排水ソケットに、他方の環状端面が床フランジに、それぞれ当接して漏水を防止することを特徴とする。
【００１２】
本態様によれば、導水管を排水ソケットと床フランジとの間に挟みこませる（より好適には施工時に圧縮される）ことで、両端がシールされて漏水が防止できる。
【００１３】
本発明の他の好ましい態様によれば、前記便器および前記排水ソケットが前記上張床材の上面に戴置または固定されていることを特徴とする。
【００１４】
このような構成とすることで、便器と排水ソケットを同一平面に設置することができるで、便器と排水ソケットの接続が確実になされ、漏水が防止できる。
【００１５】
本発明において、前記上張床材は、表面から裏面に貫通する開口を備え、開口の内側に前記床フランジが配置されていることが好ましい。
【００１６】
このような構成とすることで、床フランジに干渉せず、既設床材に直接上張床材を張り付けることができるので、下張の合板等を介在させずに施工できる。また、便器下に上張床材の継ぎ目ができるのを防ぐことができる。さらには、排水ソケットを安定に戴置することができるので、より確実に漏水を防止できる。
【００１７】
さらに、前記開口は、開口幅と床フランジ幅との差分（Ａ）が左右方向（ｘ）における差分（Ａｘ）よりも前後方向（ｙ）における差分（Ａｙ）のほうが大であることが好ましい。
【００１８】
壁材を既設壁に上張する場合、排水心から壁までの距離が小さくなる。壁の上張の有無にかかわらず、上張床板の一端を壁に接するように張り付けることが可能となる。
【００１９】
また、前記開口は、径方向に延在する切り欠きを有することが好ましい。
【００２０】
床フランジには、フランジ部から開口径の方向に突出した突出部を有するものがある。前記開口が、径方向に延在する切り欠きを有することによって、この突出部と上張床材とが干渉しないようにすることができる。
【００２１】
本発明のリフォームキットは、前記上張床材と、前記導水管とを含んでなる。
【００２２】
便器および排水ソケットはセットで販売されている。あるいは、便器および排水ソケットは既存のものを再利用する可能性もある。したがって、上張床材と導水管とを組み合わせてキットとして提供することで、本発明の接続構造を得ることが可能となる。また、上張床材の厚みに応じた管長の導水管を提供でき、施工者は購入ミスを防止できる。
【発明の効果】
【００２３】
本発明によれば、既設のフランジをそのまま利用でき、少ない部品点数で省施工を実現することができる。
【図面の簡単な説明】
【００２４】
【図１】本発明の設置構造の概略断面図である。
【図２】本発明の設置構造における上張床材および床フランジの位置関係を示した斜視図である。
【図３】本発明の変形例における部分構造の断面図である。
【発明を実施するための形態】
【００２５】
以下、本発明の実施の形態について、図面を参照しつつ説明する。なお、各図面中、同様の構成要素には同一の符号を付して詳細な説明は適宜省略する。
【００２６】
本実施形態において、床面に対して便器が設けられる方向を上方向または上方、これと反対側の方向を下方向または下方、壁面に対して便器が設けられる方向を前方向または前方、これと反対側を後方向または後方、後方向に向かって右側を右方向または右方、左側を左方向または左方という。
【００２７】
図１は、本発明の設置構造の概略断面図を示す。
トイレの既設床１には、既設の配水管が縦方向に埋設されており、その上端には床フランジ２が接続されている。本例において、この床フランジ２は、リフォームする前にトイレに設置されていた便器が接続されていたものであり、この既設の床フランジ２をそのまま残してリフォーム工事を行なうものである。
【００２８】
床フランジ２は、排水管の上端で接続するための筒状部２ａと、筒状部から外周方向に張り出して形成された鍔部２ｂとを備えてなる。鍔部２ｂは床面に沿うように取り付けられる。また、床フランジ２は、鍔部２ｂから鍔部２ｂの張り出し方向に延在する突出部２ｃを有する場合がある。突出部２ｃにはボルト孔を有し、ボルトが挿通されて既設床１に固定される。
【００２９】
なお、床フランジ２は予め排水管に取り付けられている既設のものを使用すれば、工程数や工期を削減できる点で好ましいが、新しい床フランジ２と交換しても良い。また、改築等でトイレを新設する際に、新しく設置しても良い。
【００３０】
既設床１の上面には上張床材３が、床フランジ２を覆わないように張り付けられている。また、床フランジ２と上張床材３とは、便器が上張床材３に戴置できる程度の間隔をあけて張り付けられている。
【００３１】
上張床材３は下張床材と化粧面を備えた床仕上材とを組み合わせて用いても良いが、床仕上材単独で上張床材３として用いることが、施工が容易になり好ましい。このような上張床材３は、例えば小便器の下に用いられる汚垂石のように、トイレ床を部分的に被覆するような床材も含まれる。
【００３２】
上張床材３の材質は、合成樹脂、木質パネル、木材、陶磁器、石材、金属、ガラス、及びそれらの複合材の群から選ばれる少なくとも一種から選択される。耐汚染性の観点から、上張床材３の材質は、合成樹脂、陶磁器、石材、ガラス、及びそれらの複合材の群から選ばれる少なくとも一種であることが好ましい。
【００３３】
上張床材３の形状は、正面視で方形が好適であるが、六角形以上の多角形、辺を直線と曲線とを組み合わせた形状、曲線からなる形状のいずれも用いることができる。上張床材３のサイズは、左右方向または前後方向の幅が３０ｃｍ以上２ｍ以下であり、好適には６０ｃｍ以上１２０ｃｍ以下である。
【００３４】
図２は、本発明の設置構造における上張床材および床フランジの位置関係を示した斜視図である。図２に示すように、上張床材３は、表面、すなわち化粧面から裏面に貫通する開口３ａを形成していることが好ましい。上張床材３を張り付ける際に床フランジ２を開口３ａの内側に収めることで、上張床材の上に便器を安定に戴置することができる。さらには、床フランジに干渉せず、既設床材に直接上張床材を張り付けることができるので、合板等の下張床材を用いることなく施工することができる。また、便器下に上張床材の継ぎ目ができるのを防ぐことができるため、清掃性が向上する。
【００３５】
上張床材３が脆性材料からなる場合は、現場での切削加工で上張床材に割れや欠けが生じやすいため、上張床材３の製造時に開口３ａを予め設けておくことが好ましい。
【００３６】
開口３ａの位置や大きさは、排水管の位置や床フランジ２の外径の大きさによって適宜決定されるが、本発明の好ましい態様によれば、開口３ａの幅は、開口幅と床フランジ幅との差分（Ａ）が左右方向（ｘ）における差分（Ａｘ）よりも前後方向（ｙ）における差分（Ａｙ）のほうが大である。ここで、幅は、開口および床フランジにおいて、左右方向または前後方向における最大幅を意味する。
【００３７】
リフォームにおいては、既設壁を壊して新しい壁を設けるのではなく、既設壁に重ねて新しい壁を取り付けることが一般的になっている。このような方法によれば、リフォームの前後で壁面から排水管までの距離が変わることになる。本発明において、上張床材３の開口３ａの幅を上記のようにすることで、新しい壁を重ねて取り付ける場合であっても、そうでない場合であっても、上張床材３の後端を壁面に接して設置することが可能となる。例えば上張床材が汚垂石である場合、上張床材３をカットすることなく張り付けることができる。
【００３８】
また、左右方向における差分が小さいことで、便器を安定して戴置することもできる。
【００３９】
なお、床フランジ２の鍔部２ｂに突出部２ｃが有る場合、開口３ａにはこの突出部２ｃが収まるように切り欠き部３ｂが設けられていることが好ましい。あるいは、後述するように、排水ソケット５ｂを床に固定するための固定ねじ６を挿通するために、切り欠き３ｂが設けられていることが、より好ましい。
【００４０】
図１に示すように、床フランジ２の筒状部の上には導水管４が取り付けられている。導水管４は、便器５から排出される排水を床フランジ２に導くように、便器５および床フランジ２に介在して、便器５の排出口と床フランジ２の筒状部とを接続して流路を形成している。導水管４は、一方の環状端面が排出口を囲うように当接し、他方の環状端面が床フランジの筒状部２ａの端部に当接して、漏水を防止するようになっている。
【００４１】
導水管４は、合成樹脂を含む、常温で塑性変形または弾性変形が可能な材料からなる。そして、導水管４は、便器５を上張床材３に戴置する際に押圧され、上下方向に圧縮された状態となっている。このように、塑性変形または弾性変形が可能な導水管を使用することによって、施工が簡単で、かつ確実に漏水防止が可能な便器設置構造を提供可能となる。また、既設の床フランジ２や既設床１に凹凸や傾斜があり、上張床材に不陸が発生しても、導水管が圧縮可能なので、調整作業を行なう必要がないか、または簡便化できる。本発明において、導水管４は、上下方向に圧縮されたときに床フランジ２や便器５との当接部位の形状に容易に追随し、密着して漏水が防止できる点で、合成樹脂を含み常温で塑性変形可能な材料からなることが好ましい。
【００４２】
導水管４は円筒状であり、その管長さは、上張床材の厚みと、便器５の設置面から排出口までの高さとを加えた長さよりも大きくすることが、漏水を防止する上で、好ましい。導水管４の管長さは、上張床材の厚みと、便器５の設置面から排出口までの高さと、既設の床フランジ２や既設床１の凹凸または傾斜を加味した空間の高さの分とを加えた長さとすることが、より好ましい。このような観点から、導水管４は、その長さが管の厚さ（外径と内径との差分）よりも大であることが、さらに好ましい。
【００４３】
本発明において、便器５は、大便器、小便器、または汚物流しであり、いずれも床置き式の衛生機器である。便器５は、便器本体５ａと排水ソケット５ｂとから構成される場合がある。このような場合において、便器本体５ａは、排水が流出する流出口を備えており、流出口に排水ソケット５ｂが接続されている。排水ソケット５ｂは流出口からの排水を受けて排水管に排出するための排出口を備えている。図３に示すように、導水管４は、一方の環状端面が排水ソケット５ｂの排出口を囲うように当接し、他方の環状端面が床フランジ２の筒状部２ａの端部に当接して、漏水を防止するようになっている。
【００４４】
便器５および前記排水ソケット５ｂは、前記上張床材３の上面に戴置または固定されている。便器５および排水ソケット５ｂを同一平面に設置することで、便器本体５ａと排水ソケット５ｂとの接続が確実になされ、漏水が防止できる。
【００４５】
ところで、便器本体５ａおよび排水ソケット５ｂはセットで販売されている。あるいは、便器本体５ａおよび排水ソケット５ｂは既存のものを再利用する場合もある。したがって、上張床材３と導水管４とを組み合わせたキットとして提供することで、本発明の接続構造を得ることが可能となる。また、上張床材３の厚みに応じた管長の導水管４を提供でき、施工者は購入ミスを防止することができる。
【符号の説明】
【００４６】
１    既設床
２    床フランジ
２ａ  筒状部
２ｂ  鍔部
２ｃ  突出部
３    上張床材
３ａ  開口
３ｂ  切り欠き部
４    導水管
５    便器
５ａ  便器本体
５ｂ  排水ソケット
６    固定ねじ
Ｆ    床面
Ｗ    壁面
【図１】
0006406619.tif 000002
【図２】
0006406619.tif 000003
【図３】
0006406619.tif 000004